(57)【要約】【課題】放射性薬剤の容量を効率よく確認させる手段を提供すること。【解決手段】放射性薬剤を配送する配送システムにおいて配送される前記放射性薬剤の容量を表示する容量表示装置１は、現在の日時を取得する現在日時取得部と、その現在の日時に対応する放射性薬剤の容量を表示する表示部とを含めて構成されることを特徴とする。なお、容量表示装置１は、放射性薬剤を格納する配送ケースにそのまま付してもよいし、放射性薬剤を格納する配送ケースとは離して、放射性薬剤を格納する配送ケースに付された薬剤情報タグから薬剤情報を読み取る構成としてもよい。容量表示装置１は、配送ケースとは離すことにより、使用する個数を節約することができる。【選択図】      図１
2004209171.tif 000002
【特許請求の範囲】
【請求項１】
放射性薬剤を配送する配送システムにおいて配送される前記放射性薬剤の容量を表示する容量表示装置であって、前記容量表示装置は、現在の日時を取得する現在日時取得部と、前記現在の日時に対応する放射性薬剤の容量を表示する表示部とを含めて構成されることを特徴とする容量表示装置。
【請求項２】
放射性薬剤を配送する配送システムにおいて配送される前記放射性薬剤の容量を表示する容量表示装置であって、前記容量表示装置は、検定日時、検定時容量、ならびに、薬剤種類または薬剤半減期のうちの少なくとも１つから構成される薬剤情報を入力させる薬剤情報入力部と、現在の日時を取得する現在日時取得部と、前記薬剤情報および前記現在の日時から前記放射性薬剤の現在容量を算出する現在容量算出部と、前記現在容量を表示する表示部とを含めて構成されることを特徴とする容量表示装置。
【請求項３】
前記容量表示装置は、前記放射性薬剤を格納する配送ケースに付されることを特徴とする請求項２に記載の容量表示装置。
【請求項４】
前記薬剤情報入力部は、前記放射性薬剤を格納する配送ケースに付された薬剤情報タグから前記薬剤情報を入力することを特徴とする請求項２に記載の容量表示装置。
【請求項５】
前記容量表示装置は、薬剤種類から薬剤半減期への対応表を格納する薬剤半減期格納部を有することを特徴とする請求項２ないし請求項４のいずれか１項に記載の容量表示装置。
【請求項６】
放射性薬剤を配送する配送システムにおいて配送される前記放射性薬剤の容量を表示する容量表示方法であって、計算機が、現在の日時を取得し、前記現在の日時に対応する放射性薬剤の容量を表示することを特徴とする容量表示方法。
【請求項７】
放射性薬剤を配送する配送システムにおいて配送される前記放射性薬剤の容量を表示する容量表示方法であって、計算機が、検定日時、検定時容量、ならびに、薬剤種類または薬剤半減期のうちの少なくとも１つから構成される薬剤情報の入力を受け付け、現在の日時を取得し、前記薬剤情報および前記現在の日時から前記放射性薬剤の現在容量を算出し、前記現在容量を表示することを特徴とする容量表示方法。
【請求項８】
前記計算機が、薬剤種類から薬剤半減期への対応表を格納し、前記対応表を参照して薬剤種類から薬剤半減期を特定することを特徴とする請求項７に記載の容量表示方法。
【発明の詳細な説明】
【０００１】
【発明の属する技術分野】
本発明は、配送システムにおける容量表示装置および容量表示方法に関する。
【０００２】
【従来の技術】
現在、放射性薬剤を用いた撮影方法が、例えば癌診断の一手段として、使用されている。放射性薬剤を用いた撮影方法は、例えば、ＳＰＥＣＴ（単光子放出型ＣＴ）、ならびに、ＰＥＴ（Ｐｏｓｉｔｒｏｎ  Ｅｍｉｓｓｉｏｎ  Ｔｏｍｏｇｒａｐｈｙ）があり（例えば、非特許文献１参照）、それぞれの撮影方法に応じて放射性薬剤が使用される。なお、ＰＥＴ用の薬剤原料となる核種は加速器で作られ、作成された放射性薬剤は容器に収められて病院に配送され、その放射性薬剤は、病院の撮影室などで撮影される人の体内に投与される。
【０００３】
ここで、放射性薬剤は、それぞれ容量が既定される。なお、容量は、放射能の強さ（放射能としての量）であり、１秒間に１個の原子核が放射性壊変（崩壊）しているとき、１ベクレル（Ｂｑ）の放射能があるという。  その容量は、時間の経過に応じて減少する。なお、容量の減少の度合いは、放射性薬剤の種類ごとに特定される半減期によって表される。なお、半減期は、一般的に、ＳＰＥＣＴに使用される放射性薬剤よりも、ＰＥＴに使用される放射性薬剤の方が短い、つまり、ＰＥＴに使用される放射性薬剤のほうが、より短期間にその容量が減少してしまうことが知られている。
【０００４】
【非特許文献１】
先端医療技術研究所発行「ＰＥＴ通信１９９８ＷＩＮＴＥＲ  Ｎｏ．２５」（１５〜１７ページ）
【０００５】
【発明が解決しようとする課題】
なお、放射性薬剤は、撮影に使用される際には、撮影に必要とされる所定の容量分以上、かつ、あまり所定の容量分を大きく超えない容量のほうが、都合がよい。つまり、所定の容量分を下回ると、測定性能が低くなってしまう。また、所定の容量分を大きく上回ると、製造者にとって放射性薬剤の作成に関するコストがかかってしまう。また、所定の容量分を大きく上回ると、使用する病院によっても、投与される人の身体的負担にならないように、所定の容量分のみを用いるので、残量が多くなり、そのための処理の作業が発生する。
【０００６】
よって、放射性薬剤の作成、配送、ならびに、使用をする上で、放射性薬剤の容量を効率よく確認させることが求められている。特に、放射性薬剤の作製場所から放射性薬剤の使用場所までの距離が長い場合には、配送時間がかかるため、適宜放射性薬剤の容量を確認することが重要となる。しかし、従来の放射性薬剤は、配送ケースなどによって格納されており、その配送ケースの中にある放射性薬剤の容量を、適宜確認することは、困難であった。
【０００７】
なお、従来の配送ケースに付される配送タグの一例を、図８に示す。配送タグ８は、薬剤を配送する際に参考となる配送情報２２０と、配送される薬剤についての薬剤情報２１０が記述されている。ここで、配送情報２２０は、配送タグ８を参照する現在の時刻についての容量が記述されていないため、その容量を確認することは困難である。また、薬剤情報２１０は、薬剤の品名を特定する薬剤種類２１１と、薬剤種類２１１に対応する薬剤固有の容量の半減期を示す薬剤半減期２１２と、薬剤種類２１１に対応する薬剤の数量２１３と、薬剤の容量を検定した検定日時２１４と、検定日時２１４における検定時容量２１５とを含む。
【０００８】
そこで本発明は、前記に鑑み、放射性薬剤の容量を効率よく確認する手段を提供することを、主な目的とする。
【０００９】
【課題を解決するための手段】
本発明は、前記目的を達成するために創案されたものであり、放射性薬剤を配送する配送システムにおいて配送される前記放射性薬剤の容量を表示する容量表示装置であって、前記容量表示装置は、現在の日時を取得する現在日時取得部と、前記現在の日時に対応する放射性薬剤の容量を表示する表示部とを含めて構成されることを特徴とする。かかる構成によれば、放射性薬剤の容量を効率よく確認させることができる。その他の解決手段については、以下の実施形態で詳細に説明するものとする。
【００１０】
【発明の実施の形態】
以下に、本発明が適用される放射性薬剤の配送手段の第１実施形態について、図面を参照して詳細に説明する。まず、本実施形態の放射性薬剤の配送手段の構成について、図１を参照して説明する。
【００１１】
図１に示す放射性薬剤配送に使用される配送手段は、放射性薬剤の現在容量を提示する機能を有する。このため、放射性薬剤の配送手段は、放射性薬剤を格納する容器４と、容器４から放出される放射線を遮蔽する放射線遮蔽ケース３と、放射線遮蔽ケース３を梱包するための配送ケース２と、容器４に格納された放射性薬剤の容量を表示する容量表示装置１とを含んで構成される。なお、第１実施形態では、容量表示装置１は、配送ケース２の表面上に接着される。
【００１２】
次に、容量表示装置１が表示する情報の一例について、図２を用いて説明する。容量表示装置１は、液晶ディスプレイなどにより構成される表示部１２を用いて、薬剤を配送する際に参考となる配送情報１２０と、配送される薬剤についての薬剤情報１１０とを含んで表示する。ここで、配送情報１２０は、現在日時１２１と、現在の薬剤の容量を示す現在容量１２２とを含む。なお、薬剤情報１１０は、薬剤の品名を特定する薬剤種類１１１と、薬剤種類１１１に対応する薬剤固有の容量の半減期を示す薬剤半減期１１２と、薬剤種類１１１に対応する薬剤の数量１１３と、薬剤の容量を検定した検定日時１１４と、検定日時１１４における検定時容量１１５とを含む。
【００１３】
さらに、容量表示装置１の構成について、図３を用いて説明する。容量表示装置１は、ユーザとのインタフェース１０と、放射性薬剤の現在容量を算出する算出部２０と、放射性薬剤に関する情報を格納する格納部３０とを含んで構成される。以下、容量表示装置１の構成要素について、より具体的に説明する。
【００１４】
容量表示装置１のインタフェース１０は、薬剤情報１１０を容量表示装置１に入力させる際に使用される薬剤情報入力部１１と、放射性薬剤の現在容量などを表示する表示部１２とを含んで構成される。なお、第１実施形態において、薬剤情報をユーザに入力させるために、薬剤情報入力部１１は、例えば、数値を入力可能なキーボードなどにより構成される。
【００１５】
容量表示装置１の算出部２０は、時計装置により構成される現在日時取得部２１と、薬剤情報１１０と現在日時１２１から薬剤の現在容量を算出する現在容量算出部２２とを含んで構成される。そして、算出部２０は、例えばＩＣ（Ｉｎｔｅｇｒａｔｅｄ  Ｃｉｒｃｕｉｔ）チップにより構成される。なお、現在容量算出部２２は、数式１を用いて、薬剤の現在容量を算出する。ここで、数式１において、Ｖは現在の容量、Ｓは検定時容量１１５、ｔは現在日時１２１、Ｔは検定日時１１４、ならびに、Ｘは薬剤半減期１１２を示す。また、図９は、数式１を２次元の曲線で示した一例である。
【００１６】
【数１】
2004209171.tif 000003
【００１７】
容量表示装置１の格納部３０は、薬剤情報入力部１１によって入力された薬剤情報１１０を格納する薬剤情報格納部３１と、薬剤情報１１０の薬剤種類１１１から薬剤半減期１１２を特定する対応表である薬剤半減期格納部３２とを含んで構成される。
【００１８】
以上、本実施形態の放射性薬剤の配送手段の構成について、説明した。次に、図１〜図３を参照しつつ、本実施形態のナビゲーションシステムの動作について、図４に沿って説明する。なお、図４は、容量表示装置１の動作に着目したフローチャートである。
【００１９】
まず、前準備である容量表示装置の配置（Ｓ１０１）について、説明する。第１実施形態では、容量表示装置１は、配送時などに配送する放射性薬剤の容量を確認させるために、配送ケース２に付される。
【００２０】
次に、前準備である薬剤情報の設定（Ｓ１０２）について、説明する。容量表示装置１は、薬剤情報入力部１１を用いて、配送する薬剤についての薬剤情報１１０を、ユーザに入力させる。ここで、薬剤情報１１０は、検定される検定日時１１４および検定時容量１１５を含んで入力させる。
【００２１】
そして、薬剤情報の取得（Ｓ１０３）について、説明する。容量表示装置１は、薬剤情報の設定（Ｓ１０２）による薬剤情報１１０を取得し、薬剤情報格納部３１に格納する。
【００２２】
さらに、薬剤情報からの現在容量の計算（Ｓ１０４）について、説明する。現在容量算出部２２は、所定の薬剤について、薬剤情報格納部３１に格納された薬剤情報１１０、および、現在日時取得部２１の提供する現在日時１２１から、数式１によって、現在容量を算出する。
【００２３】
そして、現在容量の表示（Ｓ１０５）について、説明する。容量表示装置１は、表示部１２を用いて、計算された現在容量（Ｓ１０４）を表示する。ユーザは、この表示を参照することで、配送ケース２の外から、配送ケース２に収められた放射性薬剤の容量を確認することができる。
【００２４】
以上、所定の薬剤についての現在の容量を表示する手順を説明した。ここで、配送ケース２に収められた別の薬剤が存在し、全薬剤の計算が終了していない場合（Ｓ１０６、Ｎｏ）、薬剤情報の取得（Ｓ１０３）に処理を戻し、別の薬剤について現在の容量を計算して表示する。
【００２５】
以上、本発明の第１実施形態について説明した。かかる構成によれば、まず、製造者は、製造した放射性薬剤の容量を随時確認できるので、余分な放射性薬剤を製造することが少なくなり、製造コストを削減することができる。次に、配送者は、配送する放射性薬剤の容量を随時確認できるので、その容量に応じて、配送手段を適宜選択することができ、円滑な配送を行うことができる。さらに、使用者は、使用する放射性薬剤の容量を随時確認できるので、放射性薬剤が格納された配送ケースの外から、製造者に発注した容量分の放射性薬剤が届いているかを、効率的に確認できる。
【００２６】
以下に、本発明が適用される放射性薬剤の配送手段の第２実施形態について、図５を用いて説明する。なお、第２実施形態は、第１実施形態における容量表示装置１を配送ケース２に付す構成の替わりに、容量表示装置１を配送ケース２から離して使用させる一例である。よって、第１実施形態と同一の構成および動作については、同一の符号を用いて説明を省略する。
【００２７】
まず、本発明が適用される放射性薬剤の配送手段の構成について、説明する。配送ケース２は、容量表示装置１そのものの替わりに、薬剤情報タグ９が付される。ここで、薬剤情報タグ９は、例えば接着シールにより構成され、薬剤情報１１０などが記述されている。そして、容量表示装置１は、配送ケース２から離して構成される。
【００２８】
次に、本発明が適用される放射性薬剤の配送手段の動作について、説明する。
【００２９】
まず、前準備である容量表示装置の配置（Ｓ１０１）は、第１実施形態における容量表示装置１を配送ケース２に付す構成の替わりに、例えば、容量表示装置１をユーザに持たせることとする。または、容量表示装置１は、所定の位置に固定され、その位置の付近に配送ケース２を移動させるようなベルトコンベアなどの構成としてもよい（図６参照）。つまり、ベルトコンベア上の配送ケース２が移動することで、配送ケース２と、固定された容量表示装置１との距離が短くなり、容量表示装置１から配送ケース２上の薬剤情報タグ９を読み取り可能になる構成である。
【００３０】
次に、前準備である薬剤情報の設定（Ｓ１０２）は、第１実施形態における容量表示装置１に薬剤情報１１０を直接入力させる動作の替わりに、例えば、薬剤情報１１０を記した薬剤情報タグ９を容量表示装置１の表面に付させることとする。
【００３１】
そして、薬剤情報の取得（Ｓ１０３）は、第１実施形態における容量表示装置１に入力された薬剤情報１１０を直接取得する替わりに、例えば、容量表示装置１を薬剤情報タグ９に近づけて、薬剤情報タグ９から薬剤情報１１０を取得する動作とする。より具体的な一例としては、薬剤情報タグ９は薬剤情報１１０をバーコード形式で記述し、そのバーコード形式の薬剤情報１１０を、バーコードリーダとして構成される薬剤情報入力部１１に読み取らせる構成とする。
【００３２】
さらに、薬剤情報から現在容量の計算（Ｓ１０４）以降の動作は、第１実施形態と同様とする。
【００３３】
以上、本発明の第２実施形態について説明した。かかる構成によれば、ユーザは、配送ケースごとに容量表示装置を用意する必要がなくなるので、容量表示装置に関するコストを削減することができる。
【００３４】
以上説明した本発明は、発明の趣旨を逸脱しない範囲で広く変形実施することができる。
【００３５】
例えば、第２実施形態において、薬剤情報タグ９は、薬剤情報１１０をバーコード形式、マークシート形式、または、文字形式によって記述し、薬剤情報入力部１１は、それらの表記形式に適合した読み取り手段として構成してもよい。さらに、薬剤情報の読み取りに、ＲＦ−ＩＤ（Ｒａｄｉｏ  Ｆｒｅｑｕｅｎｃｙ−ＩＤｅｎｔｉｆｉｃａｔｉｏｎ）技術を用いてもよい。具体的には、ＲＦ−ＩＤリーダである容量表示装置１は、ＲＦ−ＩＤタグである薬剤情報タグ９に、電波を発信することにより、薬剤情報タグ９から薬剤情報を読み取るという動作である。
【００３６】
また、容量表示装置１が提示する現在容量１２２を反映して、配送手段または配送ルートを変更する方式としてもよい。具体的な一例としては、第２実施形態において、配送ケース２がベルトコンベアにより配送車に振り分けられる構成とし、その配送ケース２に格納された薬剤の現在容量１２２に応じて、配送ケース２が所定の配送車に振り分けられるように、ベルトコンベアを動作させてもよい。
【００３７】
さらに、容量表示装置１は、提示する現在容量１２２の表記形式について、例えば、バーコード形式、マークシート形式、または、文字形式によって示してもよい。なお、バーコード形式による現在容量１２２の表記は（図７参照）、第３者に現在容量１２２を隠蔽する効果を得る。
【００３８】
【発明の効果】
本発明により、まず、製造者は、製造した放射性薬剤の容量を随時確認できるので、余分な放射性薬剤を製造することが少なくなり、製造コストを削減することができる。次に、配送者は、配送する放射性薬剤の容量を随時確認できるので、その容量に応じて、配送手段を適宜選択することができ、円滑な配送を行うことができる。さらに、使用者は、使用する放射性薬剤の容量を随時確認できるので、放射性薬剤が格納された配送ケースの外から、製造者に発注した容量分の放射性薬剤が届いているかを、効率的に確認できる。
【図面の簡単な説明】
【図１】本発明の第１実施形態に係る放射性薬剤の配送手段の構成図である。
【図２】本発明の第１実施形態に係る容量表示装置が表示する情報の一例を示す図である。
【図３】本発明の第１実施形態に係る容量表示装置の構成図である。
【図４】本発明の第１実施形態に係る容量表示装置の動作を示すフローチャートである。
【図５】本発明の第２実施形態に係る放射性薬剤の配送手段において容量表示装置を配送ケースから離して使用させる際の構成図である。
【図６】本発明の第２実施形態に係る配送ケースをベルトコンベアによって配送する一例を示す図である。
【図７】本発明の第２実施形態に係る容量表示装置がバーコード形式により現在容量を表示する一例を示す図である。
【図８】従来の技術における配送ケースに付される配送タグの一例を示す図である。
【図９】薬剤の現在容量を算出する際に用いられる数式を２次元の曲線で示した一例のグラフ図である。
【符号の説明】
１…容量表示装置
２…配送ケース
３…放射線遮蔽ケース
４…容器
９…薬剤情報タグ
１０…インタフェース
１１…薬剤情報入力部
１２…表示部
２０…算出部
２１…現在日時取得部
２２…現在容量算出部
３０…格納部
３１…薬剤情報格納部
３２…薬剤半減期格納部
１１０…薬剤情報
１１１…薬剤種類
１１２…薬剤半減期
１１３…数量
１１４…検定日時
１１５…検定時容量
１２０…配送情報
１２１…現在日時
１２２…現在容量
【図１】
2004209171.tif 000004
【図２】
2004209171.tif 000005
【図３】
2004209171.tif 000006
【図４】
2004209171.tif 000007
【図５】
2004209171.tif 000008
【図６】
2004209171.tif 000009
【図７】
2004209171.tif 000010
【図８】
2004209171.tif 000011
【図９】
2004209171.tif 000012